(57)【要約】      （修正有）【課題】ペーパーストッパ機能を実現し、構造が簡単で、生産製造に有利でコストを節約できる給紙機構を提供する。【解決手段】マシンフレーム、給紙アセンブリ、少なくとも一つのペーパーストッパ及び少なくとも一つの押さえ部品を包含し、該給紙アセンブリに給紙フレーム、分紙部品、給紙部品が設けられる。ペーパーストッパは該給紙部品と該分紙部品の間に枢接され、ペーパーストッパ部と嵌止部を有する。該押さえ部品は該ペーパーストッパと給紙部品の間に枢接され、押さえ部とリフト部を具えている。本考案の給紙機構は、該押さえ部品が該マシンフレームに枢接され並びに該ペーパーストッパと給紙部品の間に位置し、給紙アセンブリの給紙部品の上昇と下降に伴い、ペーパーストッパを係止するか、或いは開放する状態を呈する。【選択図】図３
0003170904.tif 000002
【実用新案登録請求の範囲】
【請求項１】
給紙機構において、
マシンフレームと、
該マシンフレームに取り付けられて駆動力を提供する伝動装置と、
該マシンフレームに取付けられ、給紙フレーム、分紙部品及び給紙部品が設けられ、該給紙フレームが該分紙部品と該給紙部品を連結する、給紙アセンブリと、
該マシンフレームに枢接され並びに該給紙部品と該分紙部品の間に位置し、紙をブロックするペーパーストッパ部と嵌止部とを具えた、少なくとも一つのペーパーストッパと、  該マシンフレームに枢接され並びに該ペーパーストッパと該給紙部品の間に位置し、押さえ部とリフト部を具えた、少なくとも一つの押さえ部品と、
を包含し、
そのうち、該押さえ部品の該リフト部が該給紙アセンブリの該給紙部品の上昇と下降に伴い、該給紙アセンブリの給紙フレームに組み合わせられるか或いは該給紙フレームより離れ、これにより該押さえ部品の押さえ部に該ペーパーストッパの嵌止部を嵌止させるか開放させることを特徴とする、給紙機構。
【請求項２】
請求項１記載の給紙機構において、該押さえ部品は枢接軸と、該枢接軸より後ろ向きに延伸形成された押さえ部、及び該枢接軸より前向きに折り曲げられ延伸形成されたリフト部を具えたことを特徴とする、給紙機構。
【請求項３】
請求項１記載の給紙機構において、該ペーパーストッパは枢接部と、該枢接部の底端より下向きに延伸形成されたペーパーストッパ部、該枢接部の上端より上向きに延伸形成された嵌止部を具えたことを特徴とする、給紙機構。
【考案の詳細な説明】
【技術分野】
【０００１】
本考案は一種の給紙機構に係り、特に、ペーパーストッパ機能を有する給紙機構に関する。
【背景技術】
【０００２】
一般の給紙機構は、人々が誤って紙を直接機器内部に挿入することがないように、給紙の部分にペーパーストッパ機構が設けられ、それにより紙をブロックして直接機器内部に進入しないようにすると共に、給紙機構がより平穏に給紙が行えるようにしている。
【０００３】
周知のペーパーストッパ機能を有する給紙機構は、例えば特許文献１及び２に記載されているが、これらの給紙機構の構造は複雑であり、製造とコストの節約には不利である。
【先行技術文献】
【特許文献】
【０００４】
【特許文献１】米国特許第ＵＳ６５４７２３５Ｂ２号明細書
【特許文献２】米国特許第ＵＳ６５９８８７３Ｂ２号明細書
【考案の概要】
【考案が解決しようとする課題】
【０００５】
本考案の目的は構造が簡単な給紙機構を提供することにある。
【課題を解決するための手段】
【０００６】
本考案の給紙機構は、マシンフレーム、給紙アセンブリ、少なくとも一つのペーパーストッパ及び少なくとも一つの押さえ部品を包含し、該給紙アセンブリは該マシンフレームに取付けられ、該給紙アセンブリに給紙フレーム、分紙部品、給紙部品が設けられる。該ペーパーストッパは該給紙部品と該分紙部品の間に枢接され、紙をブロックするペーパーストッパ部と嵌止部を有する。該押さえ部品は該マシンフレームに枢接され並びに該ペーパーストッパと該給紙部品の間に枢接され、押さえ部とリフト部を具えている。
【０００７】
該押さえ部品の該リフト部は該給紙アセンブリの給紙部品の上昇と下降に伴い、該給紙アセンブリの該給紙フレームに組み合わされるか或いは該給紙フレームより乖離し、これにより該押さえ部品の押さえ部に該ペーパーストッパの嵌止部を嵌め止めさせるか、或いは開放状態と呈せしめる。
【考案の効果】
【０００８】
本考案の給紙機構は、該押さえ部品が該給紙アセンブリに組み合わされて、給紙アセンブリの上昇と下降に伴い、該給紙機構のペーパーストッパ機能を実現し、且つ、給紙機構の構造は簡単で、生産製造に有利でコストを節約できる。
【図面の簡単な説明】
【０００９】
【図１】本考案の給紙機構の立体図である。
【図２】図１の給紙部品の立体図である。
【図３】本考案の給紙機構のある状態における側面図である。
【図４】本考案の給紙機構の別の状態における側面図である。
【図５】本考案の給紙機構のまた別の状態における側面図である。
【図６】本考案の給紙機構の給紙状態の側面図である。
【考案を実施するための形態】
【００１０】
本考案の技術内容、構造特徴、達成する目的を詳細に説明するため、以下に実施例を挙げ並びに図面を組み合わせて説明する。
【００１１】
図１を参照されたい。本考案の給紙機構は、マシンフレーム（図示せず）、伝動装置（図示せず）、給紙アセンブリ２０、二つのペーパーストッパ３０及び二つの押さえ部品４０を包含する。
【００１２】
図１から図３に示されるように、上述のマシンフレームに上蓋１１とペーパートレイ１２が設けられ、上蓋１１に位置制限柱１１０が設けられている。該ペーパートレイ１２と外界は連通し、紙（図示せず）はここより機器内部に進入する。
【００１３】
上述の伝動装置はマシンフレームに取付けられ、上述の給紙アセンブリ２０を駆動し対応する動作を完成させる。
【００１４】
上述の給紙アセンブリ２０はマシンフレームに取付けられ、該給紙アセンブリ２０に給紙フレーム２１、分紙部品２２及び給紙部品２３が設けられる。
【００１５】
該分紙部品２２は給紙部品２３より該分紙部品２２に導入された紙を一枚ずつ、並びに継続してこの一枚の紙を下流へと送るのに用いられる。該分紙部品２２は分紙ベルト或いは分紙輪とされ得る。該分紙部品２２は分紙輪軸２２１を具え、該分紙輪軸２２１に分紙ロール２２２が嵌合され、分紙ロール２２２は通常、高摩擦係数の材料例えばゴムで製造され、該分紙輪軸２２１は分紙部品２２をマシンフレームに枢接する。
【００１６】
該給紙部品２３は該ペーパートレイ１２に置かれた紙に接触し並びに駆動し並びに下流の分紙部品２２へと送るのに用いられる。該給紙部品２３は給紙ベルト或いは給紙輪とされる。該給紙部品２３は給紙輪軸２３１を具え、該給紙部品２３に給紙ロール２３２が嵌合され、該給紙ロール２３２は通常、高摩擦係数の材料例えばゴムで製造され、該給紙輪軸２３１は給紙部品２３を給紙フレーム２１に枢接する。
【００１７】
該給紙フレーム２１は分紙部品２２及び給紙部品２３を連接する。該給紙フレーム２１及び該給紙部品２３は共同で分紙輪軸２２１の周りで逆時計周り及び時計回りの動作を行う。
【００１８】
該給紙ロール２３２と分紙輪軸２２１に伝動ベルト２４が嵌合され、並びに伝動装置の駆動により給紙ロール２３２を駆動し給紙動作を行う。
【００１９】
上述のペーパーストッパ３０はマシンフレームに枢接され並びに給紙部品２３と分紙部品２２の間にいい値し、該ペーパーストッパ３０は枢接部３１、該枢接部３１底端より下向きに延伸形成されたペーパーストッパ部３２及び枢接部３１の上端より上向きに延伸形成された嵌止部３３を包含する。該ペーパーストッパ３０が自然と下垂する時、そのペーパーストッパ部３２はペーパートレイ１２後端の位置をブロックする。
【００２０】
上述の押さえ部品４０はマシンフレームに枢接され並びにペーパーストッパ３０と給紙部品２３の間に位置し、該押さえ部品４０は枢接軸４１、該枢接軸４１より後ろ向きに延伸形成された押さえ部４２、及び該枢接軸４１より前向きに折り曲げられ延伸形成されたリフト部４３を具えている。該リフト部４３は給紙輪軸２３１に持ち上げられて押さえ部４０を逆時計周りにまわし、これにより押さえ部４２はペーパーストッパ３０の嵌止部３３部分に嵌止される。
【００２１】
図３から図６を参照されたい。本考案の給紙機構の動作原理は以下のとおりである。
伝動装置の駆動の下、給紙アセンブリ２０が分紙輪軸２２１の周りで逆時計周りに回転し、これにより給紙輪軸２３１が押さえ部品４０のリフト部４３に接触し並びに持ち上げ、これにより押さえ部品４０の押さえ部４２がペーパーストッパ３０の嵌止部３３を嵌め止めし、これにより該ペーパーストッパ３０がペーパートレイ１２の後端をブロックし、これにより機器の給紙チャネルを遮断する。この状態は、該給紙機構が給紙しない状態である。
【００２２】
伝動装置の駆動の下、給紙アセンブリ２０が分紙輪軸２２１の周りで時計周りに回転し、これにより給紙輪軸２３１が押さえ部品４０のリフト部４３より離れ、押さえ部品４０が自身の重力の作用により、時計周りに下降して自然な位置に戻り、その押さえ部４２が上蓋１１の位置制限柱１１０上に支持される。ペーパーストッパ３０が押さえ部品４０の押さえがない開放状態とされて、これにより、紙はペーパーストッパ３０を押し開いて機器内部に進入可能となる。給紙アセンブリ２０の給紙ロール２３２が下降して紙に接触する時、伝動ベルト２４が起動されることで、給紙ロール２３２が駆動され給紙動作を実行する。
【００２３】
上述したように、本考案の給紙機構は押さえ部品４０がマシンフレームに枢接され並びに上述のペーパーストッパ３０と給紙部品２３の間に位置し、給紙アセンブリ２０の給紙部品２３の上昇及び下降に応じて、ペーパーストッパ３０を嵌め止めするか或いは開放状態となし、これにより該給紙機構のペーパーストッパ機能を実現し、その構造は簡単で、生産製造に有利で並びにコストを節約できる。
【符号の説明】
【００２４】
１１  上蓋                  １１０  位置制限柱
１２  ペーパートレイ        ２０  給紙アセンブリ
２１  給紙フレーム          ２２  分紙部品
２２１  分紙輪軸            ２２２  分紙ロール
２３  給紙部品              ２３１  給紙輪軸
２３２  給紙ロール          ２４  伝動ベルト
３０  ペーパーストッパ      ３１  枢接部
３２  ペーパーストッパ部    ３３  嵌止部
４０  押さえ部品            ４１  枢接軸
４２  押さえ部              ４３  リフト部
【図１】
0003170904.tif 000003
【図２】
0003170904.tif 000004
【図３】
0003170904.tif 000005
【図４】
0003170904.tif 000006
【図５】
0003170904.tif 000007
【図６】
0003170904.tif 000008